(57)【要約】【課題】  本発明は組立て工程および製造コストを低減できるように、構造が単純なビューファインダおよびそれを含む映像撮影装置を提供する。【解決手段】  本発明によるビューファインダは、液晶表示装置３４０、レンズ３３０、外部ケース３１０および内部ケース３２０を含み、外部ケース３１０がレンズ３３０の装着された内部ケース３２０の移動をガイドする。本発明によれば、長さ調節が可能な単純な構造のビューファインダを具現できる。【選択図】      図３ 
2005244972.tif 000002
【特許請求の範囲】
【請求項１】
映像撮影装置の本体に設置され、液晶表示装置およびレンズを持つビューファインダにおいて、
前記映像撮影装置の本体に結合される外部ケースと、
前記レンズが装着され、前記外部ケースの内部に移動自在に設けられる内部ケースとを含み、
前記外部ケースは前記内部ケースの移動をガイドすることを特徴とするビューファインダ。
【請求項２】
前記外部ケースに互いに離隔するように備えられた第１および第２固定溝と、
前記内部ケースの外側に突出するように備えられた固定突起とをさらに含み、
前記内部ケースは、前記固定突起が前記第１固定溝又は前記第２固定溝に挿入される時に移動が抑制されることを特徴とする請求項１に記載のビューファインダ。
【請求項３】
前記外部ケースに備えられたガイド壁をさらに含み、  
前記固定突起は、前記内部ケースの移動時に前記ガイド壁の内側面に密着移動することを特徴とする請求項２に記載のビューファインダ。
【請求項４】
前記外部ケースは前記ガイド壁が一体に形成されたモールド部材であることを特徴とする請求項３に記載のビューファインダ。
【請求項５】
前記内部ケースは前記固定突起が一体に形成されたモールド部材であることを特徴とする請求項２または４に記載のビューファインダ。
【請求項６】
前記外部ケースに形成されたガイド溝と、
前記内部ケースが前記外部ケースから外れることを防止するために、前記ガイド溝内で移動していて前記ガイド溝の端部の外部ケースの一側にかかるように、前記内部ケースに備えられたフックとをさらに含むことを特徴とする請求項１または２に記載のビューファインダ。
【請求項７】
前記内部ケースは前記フックが一体に形成されたモールド部材であることを特徴とする請求項６に記載のビューファインダ。
【請求項８】
前記液晶表示装置は前記内部ケースに装着されることを特徴とする請求項１に記載のビューファインダ。
【請求項９】
前記本体に前記外部ケースを固定させることができるよう締結部材を収容し、前記外部ケースから延長して形成された複数のボス部をさらに含むことを特徴とする請求項１に記載のビューファインダ。
【請求項１０】
前記複数のボス部は前記外部ケースと一体形成されることを特徴とする請求項９に記載のビューファインダ。
【請求項１１】
前記内部および外部ケースは互いに摩擦力を減らすため実質的に同一な材質からなっていることを特徴とする請求項１に記載のビューファインダ。
【請求項１２】
被写体の映像を撮影して記録媒体に記録する、液晶表示装置およびレンズを持つビューファインダが設けられた映像撮影装置において、
前記ビューファインダは、
映像撮影装置の本体に結合される外部ケースと、
前記レンズが装着され、前記外部ケースの内部に移動自在に設けられる内部ケースとを含み、
前記外部ケースは前記内部ケースの移動をガイドすることを特徴とする映像撮影装置。
【請求項１３】
前記外部ケースは前記映像撮影装置の本体に締結部材により結合されることを特徴とする請求項１２に記載の映像撮影装置。
【請求項１４】
前記締結部材はネジであることを特徴とする請求項１３に記載の映像撮影装置。
【請求項１５】
前記外部ケースに形成されたガイド溝と、
前記内部ケースが前記外部ケースから外れることを防止するために、前記ガイド溝内で移動していて前記ガイド溝の端部の外部ケースの一側にかかるように、前記内部ケースに備えられたフックとをさらに含むことを特徴とする請求項９に記載の映像撮影装置。
【請求項１６】
前記フックが前記ガイド溝の一端にある時は前記ビューファインダは挿入状態であり、前記フックが前記ガイド溝の他端にある時は前記ビューファインダは引出状態であることを特徴とする請求項１５に記載の映像撮影装置。
【発明の詳細な説明】
【技術分野】
【０００１】
本発明は映像撮影装置に関し、より詳しくは、長さ調整が可能なビューファインダおよびそれを備えた映像撮影装置に関する。
【背景技術】
【０００２】
公知のように、カムコーダ(ｃａｍｃｏｒｄｅｒ)のような映像撮影装置は、撮影される被写体の映像を磁気テープのような記録媒体に記録し、記録した画像を再生させる装置である。このような映像撮影装置は、記録される被写体の映像を使用者が確認できるようにするビューファインダ(ＥＶＦ：Ｅｌｅｃｔｒｏｎｉｃ  Ｖｅｉｗ  Ｆｉｎｄｅｒ)を備える。
【０００３】
一般的に、ビューファインダは、記録や再生の映像をディスプレーする液晶表示装置と、液晶表示装置を通じてディスプレーされる映像を使用者が目視できるようにするレンズとを含む。ビューファインダは、便宜のため、映像撮影装置の本体から所定長さで突出するように設けられる。しかし、最近は、液晶モニタ付け映像撮影装置によりビューファインダの使用が低減するため、ビューファインダが映像撮影装置の本体の外部に突出される構造は改善すべき技術課題になっている。
【０００４】
このような点を考慮して、本出願人により出願された韓国公開実用新案第２０００−００１６７８１号には長さ調節が可能なビューファンダが開示されている。開示のビューファインダは、液晶表示装置が装着された内部ケースと、レンズが装着された外部ケースとを含む。内部ケースは映像撮影装置の本体に固定され、外部ケースは内部ケースに対してスライド可能に設けられる。したがって、ビューファンダを使用しない場合、外部ケースを映像撮影装置の本体側に押込んでビューファインダが挿入位置にあるようにし、ビューファインダの使用時だけ外部ケースを映像撮影装置の本体から引き出してビューファインダが引出し位置にあるようにする。内部ケースには外部ケースが挿入位置または引出し位置で固定されるように２つのバネが設けられる。これらのバネは板バネの形状からなり、ネジにより内部ケースに結合される。
【０００５】
このように、開示のビューファインダは、外部ケースを挿入位置又は引出し位置で固定させるための別途のバネが備えられ、これを内部ケースに固定させなければならないため、構造が複雑で組立工程および製造コストの増加を招くという問題点がある。また、外部ケースがバネとの摩擦によって破損するという問題点があり得る。
【特許文献１】韓国公開実用新案第２０００−００１６７８１号
【発明の開示】
【発明が解決しようとする課題】
【０００６】
本発明は前記のような問題点に鑑みてなされたもので、摩擦により破損することなく、組立工程および製造コストを低減できるように構造が単純なビューファインダおよびそれを含む映像撮影装置を提供することを、その目的とする。
【課題を解決するための手段】
【０００７】
前記目的を達成するために、本発明によるビューファインダは、液晶表示装置、レンズ、外部ケースおよび内部ケースを含み、前記外部ケースは前記レンズが装着された内部ケースの移動をガイドする。このような本発明によれば、単純な構造を通じて長さ調節が可能なビューファインダを具現できる。
【０００８】
前記構成を持つ本発明によるビューファインダは、前記外部ケースに備えられたガイド壁と、前記ガイド壁の両端部に各々接するように形成された第１および第２固定溝と、前記内部ケースの外側に突出されるように形成された固定突起とをさらに含み、前記固定突起は前記内部ケースの移動時に前記ガイド壁の内側面に密着移動し、前記第１および第２固定溝に挿入されて、前記内部ケースの移動を抑制させる。
【０００９】
また、本発明によるビューファインダは、前記外部ケースに形成されたガイド溝と、前記ガイド溝内で移動していて前記ガイド溝の端部にかかるように、前記内部ケースに備えられたフックとをさらに含む。前記フックは前記内部ケースが前記外部ケースから外れないようにする。
【００１０】
また、前記外部ケースは前記ガイド壁が一体に形成されたモールド部材、前記内部ケースは前記固定突起および前記フックが一体に形成されたモールド部材であるのが好ましい。
【００１１】
また、前記液晶表示装置は前記内部ケースに装着される。
【００１２】
一方、前記目的を達成するために、本発明による映像撮影装置は、液晶表示装置およびレンズを持つビューファインダを備える。前記ビューファインダは、映像撮影装置の本体に結合される外部ケースおよび前記外部ケースの内部に移動自在に設けられる内部ケースを含む。前記外部ケースは前記レンズが装着された前記内部ケースの移動をガイドする。
【００１３】
そして、前記外部ケースは前記映像撮影装置の本体に螺合される。
【発明の効果】
【００１４】
本発明によれば、内部ケースの移動をガイドするための構成部として、ガイド溝、第１および第２固定溝およびガイド壁が外部ケースに一体に形成され、フックおよび固定突起が内部ケースに一体に形成されため、ビューファインダの構造は単純になる。したがって、組立工程および製造コストを低減できる映像撮影装置が具現できる。
【００１５】
また、本発明によれば、外部ケースと内部ケースが同じ材質からなるため、外部ケースと内部ケースとの間に摩擦による摩耗が発生しにくい。
【発明を実施するための最良の形態】
【００１６】
以下、添付図面に基づき、本発明の好適実施例によるビューファインダおよびそれを備えた映像撮影装置について説明する。
【実施例１】
【００１７】
図１は本発明の好適実施例による映像撮影装置の概略斜視図、図２は本発明の好適実施例による映像撮影装置のビューファインダ装着状態を示す斜視図、図３は本発明の好適実施例によるビューファインダの概略分解斜視図、図４は図３に示す本発明の好適実施例によるビューファインダの組立完成状態図、図５Ａおよび図５Ｂは図３に示す本発明の好適実施例によるビューファインダの作動説明図である。
【００１８】
図１に示すように、本発明の好適実施例による映像撮影装置は、大きく、映像撮影装置の本体１００、液晶モニタ２００およびビューファインダ３００からなる。
【００１９】
映像撮影装置の本体１００は、外観をなすハウジング１１０、カメラユニット(図示せず)、デッキユニット(図示せず)および制御ユニット(図示せず)からなる。カメラユニット、デッキユニットおよび制御ユニットはハウジング１１０の内部に設置される。カメラユニットは、映像を撮影し、撮影した映像を映像信号に変換させるもので、ハウジング１１０の一側に露出するように設けられるカメラレンズ１２０を含む。デッキユニットは磁気テープやフラッシュメモリのような記憶媒体が装着される記憶媒体装着部および記憶媒体に映像信号を記録/再生させるヘッドドラムのような信号再生/記録装置を備える。制御ユニットは映像撮影装置の全体的な動作を制御する。
【００２０】
液晶モニタ２００は撮影や再生の映像をディスプレーし、映像撮影装置の本体１００の一側に設けられる。
【００２１】
ビューファインダ３００は、液晶モニタ２００と同様に、撮影や再生の映像をディスプレーし、映像撮影装置の本体１００のもう一側に長さ調節が可能なように設けられる。ビューファインダ３００は図３に示すように、外部ケース３１０、内部ケース３２０、レンズ３３０および液晶表示装置３４０を含む。
【００２２】
外部ケース３１０は内部ケース３２０の移動をガイドするもので、映像撮影装置の本体１００に固定される。外部ケース３１０の両側面にはガイド壁３１１、ガイド溝３１０ａ、第１および第２固定溝３１２ａ、３１２ｂが各々備えられる。第１および第２固定溝３１２ａ、３１２ｂはガイド壁３１１の両端に各々接するように形成されて、ガイド壁３１１が第１固定溝３１２ａと第２固定溝３１２ｂとの間に位置することになる。ガイド溝３１０ａは、図３に示すように、外部ケース３１０の側面の長手方向に第１固定溝３１２ａと第２固定溝３１２ｂとの間の長さとほぼ同一の大きさで形成される。外部ケース３１０は、その外部に締結部材の一例であるネジ結合のために外部ケース３１０から延長して形成された複数のボス部３１３、３１４、３１５を備え、図２に示すように、ハウジング１１０の内部の一側に螺合される。ハウジング１１０に固定された外部ケース３１０の上部はビューファインダカバー１３０で被せられて外部に露出しない。外部ケース３１０は製造工程および製造コストを低減できるように、ガイド壁３１１とボス部３１３、３１４、３１５が一体に形成されたモールド部材からなる。
【００２３】
内部ケース３２０は外部ケース３１０の内部に移動自在に設けられる。内部ケース３２０の両側面にはフック３２１と固定突起３２２が各々備えられる。フック３２１は図４に示すように、内部ケース３２０と外部ケース３１０の結合時に外部ケース３１０のガイド溝３１０ａに挿入され、内部ケース３２０の移動時にガイド溝３１０ａに沿って移動するようになる。固定突起３２２は図４に示すように、内部ケース３２０と外部ケース３１０の結合時に外部ケース３１０の第１固定溝３１２ａまたは第２固定溝３１２ｂに挿入される。固定突起３２２は第１固定溝３１２ａまたは第２固定溝３１２ｂから容易に外れるようにラウンドしている表面を持つ。内部ケース３２０が外部ケース３１０によりガイドされて移動する時、固定突起３２２は第１固定溝３１２ａから第２固定溝３１２ｂに、或いは第２固定溝３１２ｂから第１固定溝３１２ａに、ガイド壁３１１の内側面に密着した状態で移動するようになる。内部ケース３２０は、フック３２１と固定突起３２２が一体に形成されたモールド部材であり、外部ケース３１０と摩擦力を減らすことのできる同一材質からなることが好ましい。
【００２４】
また、内部ケース３２０の内部には、撮影や再生の映像をディスプレーする液晶表示装置３４０と、液晶表示装置３４０にディスプレーされる映像を使用者が目視できるように拡大させるレンズ３３０とが設けられる。液晶表示装置３４０はＦＰＣなどの連結部材を通じて映像撮影装置の本体１００と電気的に連結する。レンズ３３０は通常のものと同様に内部ケース３２０の内部に所定間隔で移動可能に設置される。内部ケース３２０の外側にはアイカップ３５０が結合される。
【００２５】
図５Ａは、ビューファインダが使用されず、内部ケース３２０が外部ケース３１０に完全に挿入された状態を示すもので、フック３２１がガイド溝３１０ａの一側に位置しており、内部ケース３２０の固定突起３２２は外部ケース３１０の第１固定溝３１２ａに挿入される。即ち、内部ケース３２０が挿入された状態にある。このとき、固定突起３２２はガイド壁３１１の一端に接して内部ケース３２０が引出し方向Ａ(図５Ｂ参照)に容易に移動されない。
【００２６】
ビューファインダ３００が使用される場合、アイカップ３５０および内部ケース３２０は外部ケース３１０から引出しされる。図５Ｂに示すように、内部ケース３２０が引出し方向Ａに加圧力を受ければ、第１固定溝３１２ａに挿入されていた固定突起３２２がガイド壁３１１の一端から外れた後、ガイド壁３１１の内側面と密着した状態で移動して第２固定溝３１２ｂに挿入される。この時、ガイド溝３１０ａ内のフック３２１がガイド溝３１０ａの他側の終端から外部ケース３１０の外側面に接するため、内部ケース３２０はこれ以上引出しできなくて固定突起３２２が第２固定溝３１２ｂに挿入された状態で停止する。そして、固定突起３２２はガイド壁３１１の他端に接して内部ケース３２０が挿入方向Ｂに容易に移動できない。したがって、内部ケース３２０はビューファインダの使用に適合するように引出しになった状態を維持するようになる。
【００２７】
一方、使用者がアイカップ３５０を挿入方向Ｂに加圧すれば、固定突起３２２は第２の固定溝３１２ｂから外れた後、ガイド壁３１１の内側面に密着された状態で移動してさらに第１固定溝３１２ａに挿入される。
【産業上の利用可能性】
【００２８】
本発明はビューファインダを持つ多様な種類の映像撮影装置に利用されることができる。
【図面の簡単な説明】
【００２９】
【図１】本発明の好適実施例による映像撮影装置の概略斜視図である。
【図２】本発明の好適実施例による映像撮影装置のビューファインダ装着状態を示す斜視図である。
【図３】本発明の好適実施例によるビューファインダの概略分解斜視図である。
【図４】本発明の好適実施例によるビューファインダの組立完成状態図である。
【図５Ａ】本発明の好適実施例によるビューファインダの作動説明図である。
【図５Ｂ】本発明の好適実施例によるビューファインダの作動説明図である。
【符号の説明】
【００３０】
１００    映像撮影装置の本体
１１０    ハウジング
２００    液晶モニタ
３００    ビューファインダ
３１０    外部ケース
３１０ａ  ガイド溝
３１１    ガイド壁
３１２ａ、３１２ｂ  第１および第２固定溝
３１３、３１４、３１５  ボス部
３２０    内部ケース
３２１    フック
３２２    固定突起
３３０    レンズ
３４０    液晶表示装置
３５０    アイカップ
【図１】
2005244972.tif 000003
【図２】
2005244972.tif 000004
【図３】
2005244972.tif 000005
【図４】
2005244972.tif 000006
【図５Ａ】
2005244972.tif 000007
【図５Ｂ】
2005244972.tif 000008